(57)【要約】【課題】  子供等の低身長者の施術を行う場合には、施術を行い易くするために座部に補助シートを置いて着座させることとなるが、このような場合には従来例のステップにあっては、被施術者の足がステップに届かなくなってしまい安楽な姿勢での施術が得られなくなるという問題があった。【解決手段】  座部２ａ下部より斜め前方に突出して主ステップ３が取付けられた理美容椅子２において、前記主ステップに対して座部より前方および座部より下部側に変位可能なように支持部材５を介して補助ステップ４を取付けた理美容椅子のステップである。【選択図】        図１
2006015041.tif 000002
【特許請求の範囲】
【請求項１】
座部下部より斜め前方に突出して主ステップが取付けられた理美容椅子において、前記主ステップに対して座部より前方および座部より下部側に変位可能なように支持部材を介して補助ステップを取付けたことを特徴とする理美容椅子のステップ。
【請求項２】
前記支持部材は、前記主ステップに固定された固定部材と、該固定部材に形成された多角柱状の突起に係合される多角孔と前記突起に対して回転可能な丸孔が形成された前記補助ステップの先端に固定された可動部材と、該可動部材の前記多角孔内に先端が臨む固定ネジとから構成され、前記可動部材の丸孔を前記固定部材の突起に対応させることで前記主ステップに対して補助ステップは回動可能となり、また、前記可動部材の多角孔を前記固定部材の突起に係合した状態において前記固定ネジを締め付けることで、前記突起が固定されて補助ステップを座部に対して前方側と下部側の少なくとも２位置において固定できるようにしたことを特徴とする請求項１記載の理美容椅子のステップ。
【請求項３】
前記支持部材は、前記主ステップに固定された固定部材と、該固定部材から突出された周面に歯部を有する突起が臨む丸孔が形成された前記補助ステップの先端に固定された可動部材と、該可動部材の前記円内に先端が臨む固定ネジとから構成され、前記固定ネジを緩めることで前記突起と固定ネジとの係合が解除されて補助ステップは回動可能となり、また、固定ネジを締め付けることで突起と固定ネジとが噛合されて補助ステップを座部に対して所望の角度位置で固定できるようにしたことを特徴とする請求項１記載の理美容椅子のステップ。
【請求項４】
前記支持部材は、前記主ステップに固定され、順次径が小さくなり大径側に収容できるように構成した伸縮自在な補助ステップの前記大径側が嵌合固定される固定部材から構成したことを特徴とする請求項１記載の理美容椅子のステップ。
【請求項５】
前記支持部材は、前記主ステップに固定され、前記補助ステップを前後方向に移動可能に支持する固定部材から構成したことを特徴とする請求項１記載の理美容椅子のステップ。
【請求項６】
座部下部より斜め前方に突出して主ステップの途中に、被施術者が足を乗せる先端側を回動、かつ、固定自在に構成する屈曲部を設けたことを特徴とする理美容椅子のステップ。
【発明の詳細な説明】
【技術分野】
【０００１】
本発明は、理美容椅子において、施術中に被施術者が足を乗せるステップであって、低身長者であっても安楽な状態で足を乗せることができるようにした理美容椅子のステップに関する。
【背景技術】
【０００２】
従来における理美容椅子におけるステップとしては、例えば、登録実用新案第３０２９４３４号に開示された技術がある。このステップは、椅子下部に取付けられたシート基板に回動自在にステップを取付けられ、該ステップはハンドルを操作することにより、椅子下部に略垂直状態となったり斜め前方に突出したりするものである。
【０００３】
このように構成された構造のステップは、被施術者が椅子に離着席する場合に足を掛けて離着席したり、施術中に足を乗せて安楽な状態を維持するというものであるが、身長の高い被施術者の場合にはステップに足を掛けていると窮屈な状態となる場合や施術者の施術中に足を引っかける可能性がある場合に、ステップを椅子下部に収納するというものであった。
【特許文献１】登録実用新案第３０２９４３４号
【発明の開示】
【発明が解決しようとする課題】
【０００４】
ところで、子供等の低身長者の施術を行う場合には、施術を行い易くするために座部に補助シートを置いて着座させることとなるが、このような場合には前記した従来例のステップにあっては、被施術者の足がステップに届かなくなってしまい安楽な姿勢での施術が得られなくなるという問題があった。
【０００５】
本発明は前記した問題点を解決せんとするもので、その目的とするところは、公知のステップ以外に座部からの距離が短い補助ステップを出し入れ可能に取付け、被施術者が低身長の場合には座部より前方に突出させて足を乗せることができるようにし、また、未使用時には座部の下部に収容するようにすることで、被施術者が低身長者であっても補助ステップに足を乗せることで安楽な姿勢で施術を受けることができ、また、未使用時には座部の下部に収容することで邪魔になることがない理美容椅子のステップを提供せんとするにある。
【課題を解決するための手段】
【０００６】
本発明の理美容椅子のステップは前記した目的を達成せんとするもので、請求項１の手段は、座部下部より斜め前方に突出して主ステップが取付けられた理美容椅子において、前記主ステップに対して座部より前方および座部より下部側に変位可能なように支持部材を介して補助ステップを取付けたことを特徴とする。
【０００７】
請求項２の手段は、前記した請求項１において、前記支持部材は、前記主ステップに固定された固定部材と、該固定部材に形成された多角柱状の突起に係合される多角孔と前記突起に対して回転可能な丸孔が形成された前記補助ステップの先端に固定された可動部材と、該可動部材の前記多角孔内に先端が臨む固定ネジとから構成され、前記可動部材の丸孔を前記固定部材の突起に対応させることで前記主ステップに対して補助ステップは回動可能となり、また、前記可動部材の多角孔を前記固定部材の突起に係合した状態において前記固定ネジを締め付けることで、前記突起が固定されて補助ステップを座部に対して前方側と下部側の少なくとも２位置において固定できるようにしたことを特徴とする。
【０００８】
請求項３の手段は、前記した請求項１において、前記支持部材は、前記主ステップに固定された固定部材と、該固定部材から突出された周面に歯部を有する突起が臨む丸孔が形成された前記補助ステップの先端に固定された可動部材と、該可動部材の前記円内に先端が臨む固定ネジとから構成され、前記固定ネジを緩めることで前記突起と固定ネジとの係合が解除されて補助ステップは回動可能となり、また、固定ネジを締め付けることで突起と固定ネジとが噛合されて補助ステップを座部に対して所望の角度位置で固定できるようにしたことを特徴とする。
【０００９】
請求項４の手段は、前記した請求項１において、前記支持部材は、前記主ステップに固定され、順次径が小さくなり大径側に収容できるように構成した伸縮自在な補助ステップの前記大径側が嵌合固定される固定部材から構成したことを特徴とする。
【００１０】
請求項５の手段は、前記した請求項１において、前記支持部材は、前記主ステップに固定され、前記補助ステップを前後方向に移動可能に支持する固定部材から構成したことを特徴とする。
【００１１】
請求項６の手段は、座部下部より斜め前方に突出して主ステップの途中に、被施術者が足を乗せる先端側を回動、かつ、固定自在に構成する屈曲部を設けたことを特徴とする。
【発明の効果】
【００１２】
本発明は前記したように、主ステップに対して座部より前方および座部より下部側に変位可能なように支持部材を介して補助ステップを取付けたことにより、子供等のように低身長者であっても、足を補助ステップに乗せることができて安楽な姿勢で施術を受けることができる。
【００１３】
また、前記支持部材の多角柱状に形成された突起に対して補助ステップに取付けられた移動部材の多角孔を係合し固定ネジで固定することで、補助ステップを主ステップに対して前記突起の多角形の数分だけの角度位置で固定できるので、被施術者の身長に合わせて補助ステップの高さ位置を変更できる。
【００１４】
さらに、前記突起の外周に歯部を形成し、前記固定ネジを前記歯部に係合することで、主ステップに対して補助ステップの回動角を変更できるので、より被施術者の身長に合わせて補助ステップの高さ位置を細かく変更できる。
【００１５】
また、補助ステップを伸縮自在な構成とすることで、簡単な構造で補助ステップの使用時と不使用時の変更を容易に行うことができ、さらに、補助ステップを主ステップに対して前後方向に移動可能とすることで、最も簡単な構造のもので補助ステップの使用時と不使用時を簡単に変更することができるという効果を有するものである。
【００１６】
また、座部下部より斜め前方に突出して主ステップの途中に、被施術者が足を乗せる先端側を回動、かつ、固定自在に構成する屈曲部を設けたことにより、主ステップのみで低身長者に対応することが可能となり、従って、低コストで補助ステップと同様な効果が得られるものである。
【発明を実施するための最良の形態】
【００１７】
本発明は、主ステップに対して座部より前方および座部より下部側に変位可能なように支持部材を介して補助ステップを取付けたものである。
【実施例１】
【００１８】
以下、本発明に係る理美容椅子Ａの第１の実施例を図１〜図７と共に説明するに、１は理美容院の床面に設置された基台、２は該基台１に設けられているペダル１ａを踏み込むことにより内蔵されたシリンダーが動作して上下動する椅子にして、座部２ａ、背凭れ２ｂ、肘掛け２ｃが一体的に取付けられている。３は前記座部２ａの座部基台２ａ1 に斜め前方に向かって延びた状態で取付けられた主ステップである。
【００１９】
以上は公知の構造であるが、本発明にあっては、前記主ステップ３に対して補助ステップ４が支持部材５を介して垂直状態と水平状態の２位置に固定可能に取付けたことを特徴とする。ここで、支持部材５の構造の詳細を図２〜図５と共に説明するに、主ステップ３の比較的上方に形成された楕円部３ａをネジ止めによって挟持する第１固定部材５ａおよび第２固定部材５ｂと、該第２固定部材５ｂから突出した角柱状の突起５ｂ1 （図示のものにあっては四角柱）に対して嵌合される角孔５ｃ1 （四角孔）および突起５ｂ1 に対して回転可能な丸孔５ｃ2 とが形成された可動部材５ｃと、該可動部材５ｃの側面に螺合され先端が前記突起５ｂ1 に当接する摘み５ｄ1 を有する固定ネジ５ｄと、前記可動部材５ｃの両側に配置されたワッシャー５ｅとから構成されている。
【００２０】
なお、前記した可動部材５ｃの下端には補助ステップ４の上端が嵌合固定されている。また、前記した支持部材５は補助ステップ４の一方と主ステップ３との取付け部分に設けられているものであるが、補助ステップ４の他方と主ステップ３との間には、補助ステップ４が主ステップ３に対して回転自在となるような簡単な構成の支持部材６によって取付けられている。
【００２１】
次に、前記した構成に基づいて動作を説明するに、図２〜図５に示すように補助ステップ４が垂下状態において可動部材５ｃの多角孔５ｃ1 が突起５ｂ1 に嵌合され、かつ、固定ネジ５ｄによって固定された状態から、補助ステップ４を水平状態に変更する場合には、固定ネジ５ｄを緩めて可動部材５ｃを上下可能な状態となし、この状態において補助ステップ４を上方に移動して突起５ｂ1 に対して可動部材５ｃの丸孔５ｃ2 の部分を位置させる。
【００２２】
この状態において、補助ステップ４を９０度回転させて水平状態としながら上方に移動して、突起５ｂ1 に対して可動部材５ｃの多角孔５ｃ1 を位置させる。そして、突起５ｂ1 に多角孔５ｃ1 に嵌め込んだならば固定ネジ５ｄをネジ込んで、突起５ｂ1 に対して可動部材５ｃを固定することで、補助ステップ４は水平状態で固定される。
【００２３】
従って、座高が高い大人が施術中に足を主ステップ３に乗せて使用していた状態（図１において仮想線で示す補助ステップ４が座部２ａの下面側で垂直な状態）から、補助ステップ４が水平な状態となって、子供等の身長の低い人の場合にも足を補助ステップに乗せて施術を行うことができる。
【００２４】
なお、前記した実施例にあっては、突起５ｂ1 を四角柱とした場合について説明したが、三角柱や五角柱等の多角柱とすることで、補助ステップ４の座部から前方に突出させた時の高さ位置を種々変更可能とするようにしてもよく、また、図６に示すように、突起５ｂ1 を、溝を有する多角柱状に形成し、固定ネジ５ｄの軸部を中空となし、該中空内にスプリング５ｄ2 を挿入すると共にボール５ｄ3 を抜け出ないように挿入し、固定ネジ５ｄを締め付けた時に、ボール５ｄ3 を突起５ｂの溝内に嵌合することで固定するようにしてもよい。
【００２５】
また、図７に示したものは、前記した理美容椅子Ａと公知のシャンプー装置Ｂとを一体化したものである。すなわち、第１の実施例合における基台１に相当する脚体がアーチ状のパイプ６で構成され、該パイプ６の後方側がシャンプー装置Ｂに取付けられ前方側が床面に接した構造となっている。そして、この実施例の場合にあっては、着座した被施術者は移動することなく洗髪を受けることができるものである。
【実施例２】
【００２６】
次に、第２の実施例を図８〜図９と共に説明する。なお、前記した第１の実施例と同一符号は同一部材を示し説明は省略する。
この実施例にあっては、前記した補助ステップ４を支持部材５を介して主ステップ３に対して固定、かつ、回転自在とする構造として、多角形状の突起５ｂ1 と可動部材５ｃの多角孔５ｃ1 と丸孔５ｃ2 とによって行うのに対し、前記突起５ｂ1 の周面に歯部５ｂ2 を形成し、また、可動部材５ｃに前記突起５ｂ1 が入り込む孔５ｃ3 を形成し、該孔５ｃ3 の切欠部に前記突起５ｂ1 の歯部５ｂと噛合する係合歯５ｄ2 を収納し、かつ、該係合歯５ｂ2 を前記固定ネジ５の先端に対して回転自在に軸支したものである。
【００２７】
このように構成した支持部材５にあっては、固定ネジ５ｄをネジ込むことで係合歯５ｄ2 が突起５５ｂ1 の歯部５ｂ2 に係合し、また、固定ネジ５ｄを緩めることで前記歯部５ｂ2 より離開して前記係合が解除され補助ステップ４を主ステップ３に対して回動することが可能となるので、補助ステップ４を着座する被施術者の身長に合わせて回動し、足と補助ステップ４が一致した状態で固定ネジ５ｄを締めつけることで固定できるので、図９に示すように補助ステップ４の高さを微調整して被施術者の足位置と合致させることができ、従って、被施術者は安楽な姿勢で施術を受けることができる。
【実施例３】
【００２８】
次に、第３の実施例を図１０〜図１３と共に説明する。なお、前記した各実施例と同一符号は同一部材を示し説明は省略する。
この実施例にあっては、主ステップ３に取付けられている支持部材５に、伸縮自在な（大径のパイプ４ａに対して中径のパイプ４ｂが摺動自在に抜け止めを施されて嵌挿され、該中径４ｂのパイプに対して小径のパイプ４ｃが摺動自在に抜け止めを施されて嵌挿されている）補助ステップ４が、前記最大の径のパイプ４ａを支持部材５に固定した状態で取付けられたものである。なお、この状態では３段式のものを示したが、３段以外のものであってもよい。
【００２９】
このように構成した第３の実施例にあっては、低身長者が着座して足先が主ステップ３に届かない場合に、補助ステップ４の最小径のパイプ４ｃを引き出すことにより、座部２ａの下面より前方に補助ステップ４は突出するので、ここに足を乗せることで安楽な姿勢で施術を受けることができる。
【実施例４】
【００３０】
次に、第４の実施例を図１３、図１４と共に説明する。なお、前記した各実施例と同一符号は同一部材を示し説明は省略する。
この実施例にあっては、主ステップ３に取付けられている支持部材５に、コの字状に形成されている補助ステップ４を前後方向に摺動可能に軸支したものである。また、支持部材５には補助ステップ４を支持部材５に対して固定するための固定ネジ５５ｄが取付けられ、補助ステップ４を所望の長さだけ前方に引き出したり、後方に後退させた状態において締め付けることで補助ステップ４の摺動を防止するように構成されている。
【００３１】
このように構成した第４の実施例にあっては、低身長者が着座して足先が主ステップ３に届かない場合に、図１５の仮想線で示した後退位置にある補助ステップを固定している固定ネジ５ｄを緩めて前方に引き出すことにより、座部２ａの下面より前方に補助ステップ４は突出するので、ここに足を乗せることで安楽な姿勢で施術を受けることができる。
【実施例５】
【００３２】
次に、第５の実施例を図１５〜図１７と共に説明するに、前記した全ての実施例にあっては、主ステップ３と補助ステップ４の２つのステップから構成したものであるが、この実施例では、主ステップ３のみで低身長者用のステップとしても利用できるようにしたものである。すなわち、主ステップ３の左右杆の途中を上下方向にステップ部３１と脚部３２に２分割し、かつ、互いの合わせ目に段部３１ａ，３２ａをそれぞれ形成すると共に、それぞれの段部３１ａ，３２ａにリング状の歯部３１ｂ，３２ｂを形成し、また、内側に位置するステップ部３１の段部３１ａにネジ孔３１ｃを形成し、脚部３２の段部３２ａにネジ挿通孔３２ｃを形成したものである。
【００３３】
このように構成することで、固定ネジ５ｄを段部３ａ′側からネジ込み、締め付けていない状態において、被施術者の身長に合わせてステップ部３１側を上方に向けて回動し、被施術者の足がステップ部３１に乗る位置で固定ネジ５ｄを締め付けることで、段部３ａ，３ａ′に形成されているリング状の歯部３ｂ，３ｂ′が噛合され確実に固定することができ、従って、ステップ部３１に相当な荷重が加わっても下方に向かって変位するのを防止できる。
【００３４】
なお、前記した実施例において、各段部３ａ，３ａ′の先端部を円弧状とすることで、体裁がよく、かつ、衣服が角部に引っ掛かるのを防止できる。また、左右の脚部３２に形成される段部３ａ，３ａ′は図１５において左向きに形成され、ステップ部３１に形成される段部３ａ，３ａ′は右向き形成されているので、脚部３２に対してステップ部３１を左方向から段部３ａ，３ａ′を合わせることで、歯部３ｂ，３ｂ′が噛合されることとなり、脚部３２とステップ部３１との位置合わせが簡単に行えるものである。
【００３５】
また、この実施例においては、ステップ部３１と脚部３２との結合手段としては、段部３１ａ，３２ａに形成した歯部３１ｂ，３２ｂとの噛合によって行う場合を示したが、脚部３２である固定部材に対してステップ部３１である可動部材を回転、かつ、固定可能にする手段としては公知の種々な機構が考えられる。
【図面の簡単な説明】
【００３６】
【図１】本発明に係る理美容椅子のステップの第１実施例を示す全体を示す斜視図である。
【図２】同上の要部を正面側から見た正面図である。
【図３】同上の側面図である。
【図４】図２のＡ−Ａ線断面図である。
【図５】図３のＢ−Ｂ線断面図である。
【図６】突起の形状を変えた実施例の断面図である。
【図７】シャンプー装置と一体化した場合の斜視図である。
【図８】第２の実施例の要部断面図である。
【図９】同上の一部の拡大図である。
【図１０】第３の実施例における補助ステップを収縮した状態の斜視図である。
【図１１】同上の側面図である。
【図１２】補助ステップを伸長した状態の側面図である。
【図１３】第４の実施例における補助ステップを前方に引き出した状態の斜視図である。
【図１４】同上の側面図である。
【図１５】第５の実施例における主ステップの斜視図である。
【図１６】同上の接合部分を示す斜視図である。
【図１７】ステップ部を上下方向に回動した状態を説明するための側面図である。
【符号の説明】
【００３７】
１          基台
２          椅子
２ａ        座部
３          主ステップ
４          補助ステップ
５          支持部材
５ａ        固定ネジ
【図１】
2006015041.tif 000003
【図２】
2006015041.tif 000004
【図３】
2006015041.tif 000005
【図４】
2006015041.tif 000006
【図５】
2006015041.tif 000007
【図６】
2006015041.tif 000008
【図７】
2006015041.tif 000009
【図８】
2006015041.tif 000010
【図９】
2006015041.tif 000011
【図１０】
2006015041.tif 000012
【図１１】
2006015041.tif 000013
【図１２】
2006015041.tif 000014
【図１３】
2006015041.tif 000015
【図１４】
2006015041.tif 000016
【図１５】
2006015041.tif 000017
【図１６】
2006015041.tif 000018
【図１７】
2006015041.tif 000019